(57)【要約】【課題】逆止弁が簡単に交換できる水道用メータユニットを提供する。【解決手段】ベース１上の上流側にスライド可能な保持部材２が設けられ、下流側に固定の保持部材３が設けられて、両保持部材２，３によりメータ本体１６が着脱自在に装着され、固定の保持部材３に逆止弁１４が組み込まれた水道用メータユニットにおいて、固定の保持部材３は、その軸線Ｘに対して直角方向に配水管接続口７が設けられ、軸線Ｘ方向に逆止弁取出口８が設けられ、その取出口８にキャップ１５が装着されている。【選択図】図１
2008069580.tif 000002
【特許請求の範囲】
【請求項１】
ベース上の上流側に給水側保持部材が設けられているとともに下流側に配水側保持部材が対向して設けられており、前記給水側保持部材と配水側保持部材の少なくとも一方を軸線に沿ってスライド可能として前記給水側保持部材と配水側保持部材との間にカートリッジ式のメータ本体を着脱自在に挟持し、且つ前記配水側保持部材に逆止弁が組み込まれた水道用メータユニットにおいて、前記配水側保持部材は、軸線に対して交差方向に配水管接続口が設けられているとともに軸線方向に逆止弁挿通口が開口されており、前記逆止弁挿通口の開放端に防水キャップを着脱自在に装着して、前記防水キャップを脱着させることにより逆止弁挿通口を介して配水側保持部材に装着される逆止弁を交換可能としたことを特徴とする水道用メータユニット。
【請求項２】
前記配水側保持部材に形成される配水管接続口が、軸線に対して垂直方向に設けられている請求項１記載の水道用メータユニット。
【請求項３】
前記防水キャップは、クイックファスナ形式により逆止挿通口に装着されている請求項１記載の水道用メータユニット。
【発明の詳細な説明】
【技術分野】
【０００１】
本発明は、例えば、集合住宅等の戸口付近に備えたパイプシャフトと称される格納庫に設置され水道の使用量を計測するための水道用メータユニットに関するもので、特に、メータ本体をカートリッジ式としてベースに交換可能に取り付けた水道用メータユニットに関するものである。
【背景技術】
【０００２】
従来から、給水配管と屋内配管への途中に使用量を計測するために水道用メータが設置されているが、水道用メータは計量法で定められた所定の期間ごとに交換することが必要であることから、例えば、特開平１１−９３２２６号公報，特開２００５−１７１６８９号公報等に提示されているようなメータ本体をカートリッジ式にして容易に交換可能としたものが採用されている。
【０００３】
これらの従来の水道用メータユニットは、図３に示すように、カートリッジ式のメータ本体１６を、例えばパイプシャフトと称される格納庫（図示せず）に配設されたベース１上の上流側に、例えば操作ハンドル９の操作により回転するねじ式の固定部材５をスライド可能且つ固定可能に設けられている給水側保持部材２が設置されているとともに、ベース１上の下流側に配水側保持部材３が固定状態で前記給水側保持部材２に対向して所定の間隔で設置されており、両保持部材２，３間の軸線方向の距離を変化させることによりカートリッジ式のメータ本体１６が着脱自在に挟持され、給水側保持部材２に継手１７等を介して給水官２０を接続し、配水側保持部材３に継手２１等を介して屋内配管２２が接続されたものであり、各配管の接続をそのままにした状態で給水側保持部材２をスライドさせるだけの簡単な作業でメーター本体１６を容易に交換することが可能であり、きわめて便利である。
【０００４】
また、前記従来の水道用メータユニットは、配水側保持部材３内に逆止弁１４が組み込まれており、一旦屋内配管に給水された水道水が逆流して給水配管内の水道水を汚染することを防止している。
【０００５】
ところで、前記従来の水道用メータユニットは、給水側保持部材３に組み込まれた逆止弁１４が、ごみ等が詰まったり長期使用によって構造的な使用不能にな
ったりすることがある。
【０００６】
そこで、配水側の保持部材３に設置されたメータ本体１６の受け部を兼ねる逆止弁１４のキャップ１３を外して逆止弁１４を交換することになるが、メータ本体１６を外さないと交換ができないことからきわめて面倒であり、また、メータ本体は使用量を積算する役目を有するものであることから、一定の管理の下にあり、交換には所定の手続が必要であって、多くの場合にはメータ本体１６の定期的な交換の際に、逆止弁１４の点検、保守作業を行っている。
【０００７】
尚、配水側の保持部材３に接続してある継手２１の部分を取り外した開口部から逆止弁１４を交換することも考えられるが、継手２１には屋内配管２２が接続されているので、これらを脱着する必要があり、交換作業が容易でなく、逆止弁１４を交換するだけの作業にしては多くの時間と労力とを必要とし、また、配管の脱着作業を行うので漏水の心配もあり熟練した作業者を必要とする。
【特許文献１】特開平１１−９３２２６号公報
【特許文献２】特開２００５−１７１６８９号公報
【発明の開示】
【発明が解決しようとする課題】
【０００８】
本発明は、前記従来の水道用メータユニットが抱えている前記逆止弁のを交換に関する問題点を解決しようとするものであり、逆止弁を随時、簡単に交換できる水道用メータユニットを提供することを課題とするものである。
【課題を解決するための手段】
【０００９】
前記課題を解決するためになされた本発明である水道用メータユニットは、ベース上の上流側に給水側保持部材が設けられているとともに下流側に配水側保持部材が対向して設けられており、前記給水側保持部材と配水側保持部材の少なくとも一方を軸線に沿ってスライド可能として前記給水側保持部材と配水側保持部材との間にカートリッジ式のメータ本体を着脱自在に挟持し、且つ前記配水側保持部材に逆止弁が組み込まれた水道用メータユニットにおいて、前記配水側保持部材は、軸線に対して交差方向に配水管接続口が設けられているとともに軸線方向に逆止弁挿通口が開口されており、前記逆止弁挿通口の開放端に防水キャップを着脱自在に装着して、前記防水キャップを脱着させることにより逆止弁挿通口を介して配水側保持部材に装着される逆止弁を交換可能としたことを特徴とする。
【００１０】
本発明によれば、配水側保持部材の軸線方向に逆止弁挿通口を設け、その開口縁に防水キャップを装着した構成であり、逆止弁の交換を交換する際に、防水キャップを外して逆止弁挿通口の開口縁を開放し、逆止弁挿通口から逆止弁を取り出し、挿入することで逆止弁を容易に交換できる。
勿論、配水側保持部材の軸線に対して交差方向に配水管接続口を設けてあるから、水は逆止弁が組み込まれた配水側保持部材の配水管接続口を通って屋内配管側に供給されて屋内に給水が行われ、逆止弁の効果も充分に担保することができる。
【００１１】
また、配水管接続口を、配水側保持部材におれる軸線に対して垂直方向に立ち上げると、配管が整然となるばかりでなく、パイプシャフトと称される狭い格納庫内での作業が容易になり配管し易い。
【００１２】
更に、防水キャップはねじ式でもよいが、クイックファスナを介して装着する場合には、防水キャップの脱着が簡単になって、逆止弁の交換が容易になる。
【発明の効果】
【００１３】
以上の手段を有する本発明によれば、メータ本体を外すことなしに、逆止弁の交換を簡単にすることができる。
【発明を実施するための最良の形態】
【００１４】
以下、図面に示した本発明の実施の形態について、説明する。図１は、本発明の最も好ましい実施の形態に係る水道用メータユニットの一例を示すものであり、メータ本体の装着前の状態を示す断面図、図２はメータ本体を装着した状態を示す一部断面側面図である。
【００１５】
本発明に係る水道用メータユニットは、主としてベース１とその上において上流側（給水側）に軸線方向にスライド可能に配置された給水側保持部材２とベース１上の下流側（配水側）に前記給水側保持部材２に対向して配置された保持部材３等からなり、両保持部材２，３は、それぞれボルトＢでベース１に固定されている。
【００１６】
そして、軸線方向にスライド可能な保持部材２は、カートリッジ式のメータ本体１６の一端を差し込むソケットを兼ねる支持部４とその支持部４内に装着された段径になった操作筒５と導水管の一部となるスライド部材６で構成されている。一方、ベース１に固定されている配水側保持部材３はＴ字管形状を有し、その部材の図示する軸線Ｘに対して配水管接続口７が垂直方向に立ち上がり、軸線Ｘ方向に沿って内部に収容する逆止弁１４の逆止弁挿通過口８が設けられている。
【００１７】
操作筒５は支持部４に回動可能に係合し、その操作筒５には操作ハンドル９が一体に設けられている。操作ハンドル９を回動すると、操作筒５に螺合していスライド部材６が水平方向（軸線Ｘの前後）にスライドするようになっている。スライド部材６には、下部先端に円弧状の受部１０が下流側に突出して一体に設けられ、受部１０にはガイド溝１１が形成されている。ガイド溝１１にはベース１に固定されたガイドピン１２が係合し、メータスライド６は水平方向（軸線Ｘの前後）に正確にスライド可能になっている。
【００１８】
ベース１に固定状態で配置された配水側保持部材３は、下部先端に円弧状の受部１３が上流側に突出して一体に設けられている。この保持部材３は、その内部に一旦屋外配管側に供給された水が逆流するのを防止する逆止弁１４が組み込まれ、逆止弁挿通口８の開口端には防水キャップ１５が装着されて逆止弁挿通口８を閉鎖している。
【００１９】
また、本実施の形態においてメータ本体１６を装着するには、従来のものと同様で、操作ハンドル９を緩めてスライド部材６を所定の位置に戻した状態で、メータ本体１６を両受部１０、１３の間に装入し、操作ハンドル９を締める回動によってスライド部材６を上流側にスライドさせる。このことによって、メータ本体１６が両保持部材２,３の間に着脱可能に装着される（図２参照）。メータ本体１６を取外す際は、前記装着時の操作を行えばよく、メータ本体１６を両保持部材２,３の間から簡単に外すことができる。尚、本実施の形態では、給水側保持部材２を軸線に沿ってスライド可能に配水側保持部材３を固定した状態でベース１に設けられているが、給水側保持部材２および配水側保持部材３は何れか一方または双方がスライド可能としてメータ本体１６を脱着可能に挟持するものであればよく形式は問わない。
【００２０】
更に、本実施の形態では、前記スライド可能な給水側保持部材２の支持部４には、一部はスライド部材６のガイドとなるエルボ継手１７が固定され、エルボ継手１７を介して減圧弁ユニット１８が接続され、減圧弁ユニット１８には止水栓１９が接続されて止水栓１９に、図示しない給水配管が接続されるようになっている。
一方、固定の配水側保持部材３には、クイックファスナＦ等によってＴ字形の２口分岐継手２０が接続されて、その継手２０には図示しない屋内配管が接続されている。
【００２１】
従って、止水栓１９を緩めて栓を開放すると、給水配管側から水が減圧弁ユニット１８に流れて一定の水圧に減圧され、エルボ継手１７を通してメータ本体１６に流れ、そこで水道使用量が計測され、逆止弁１４，継手２０を通って、図示しない各屋内配管を通り屋内に設置された各蛇口（図示せず）から給水される。
【００２２】
本実施形態の場合は、固定の配水側保持部材３はＴ字管形状を有し、その部材の軸線Ｘに対して垂直方向に配水管接続口７が設けられているが、配水管接続口７は必ず軸線Ｘに対して垂直方向に設ける必要なく、用途に応じて前側又は後側に傾けて使用できる。つまり、配水管接続口７は、必要に応じて任意の角度で傾けることも可能である。尚、図においてメータ本体１６及び減圧弁ユニット１８を包囲している実線又は破線は、寒冷地の寒冷による凍結を防止するための保温カバーを示している。
【００２３】
特に、本実施の形態における特徴は、メータ本体１６の定期交換時期以外に逆止弁１４を交換することであり、この場合には、少なくとも配水側保持部材３の上流側において給水を止めた状態とし（例えば止水栓１９を用いる）、装着されている防水キャップ１５を外して露出させた逆止弁挿通口８を介して逆止弁１４を交換し、再び、防水キャップ１５を装着するだけのきわめて簡単な作業で、勿論。メータ本体１６の脱着をせず、保持部材３に接続されている給水配管の脱着作業も要さずに行うことができる。
【００２４】
尚、本発明は、本実施の形態に限定されるものではなく、例えば、減圧弁がない型式のもの、また固定の保持部材にストレート継手を介して屋外配管が接続する型式のもの等、各種の水道水用メータユニットに応用できることは言うまでもない。
【００２５】
また、本実施の形態の場合、スライド可能な保持部材２は、支持部４をボルトＢでベース１に固定しているが、引例の如く支持部をベースに一体に設け、その支持部に固定されたエルボ継手の一部がメータスライドのガイドとなる構造にしてもよい。
【図面の簡単な説明】
【００２６】
【図１】本発明の一実施の形態に係る水道用メータユニットであり、メータ本体の装着前の状態を示す断面図である。
【図２】そのメータ本体の装着後の状態を示す一部断面側面図である。
【図３】従来例を示す一部断面説明図である。
【符号の説明】
【００２７】
１  ベース、２  給水側保持部材、３  配水側保持部材、４  支持部、５  操作筒、６  メータスライド、７  配水管接続口、８  逆止弁挿通過口、９  操作ハンドル、１４  逆止弁、１５  防水キャップ、Ｆ  クイックファスナ、Ｘ  軸線
【図１】
2008069580.tif 000003
【図２】
2008069580.tif 000004
【図３】
2008069580.tif 000005